(57)【要約】【課題】  低コストで効率よく窓ガラスの表面を洗浄することが可能な片引き電動開閉窓を提供する。【解決手段】  固定ガラス戸（２）より屋外側に開閉ガラス戸（３）を取り付け; 窓枠（１）の屋外側中央位置に外部中間縦窓枠（１ｅ）を設け; 開閉ガラス戸（３）の電動駆動装置（４）を上窓枠（１ａ）に取り付け; 固定ガラス戸（２）の外面への散水用給水パイプ（２１）の散水部を、固定ガラス戸（２）の上カマチ（２ａ）に沿って取り付け; 開閉ガラス戸（３）の外面への散水用給水パイプ（１１）を上記外部中間縦窓枠（１ｅ）に沿って取り付け; 上記外部中間縦窓枠（１ｅ）には、開閉ガラス戸（３）の外面払拭用ワイパーブレード（１２）を取り付け; 開閉ガラス戸（３）の召合わせ部側の縦カマチ（３ｂ）には、固定ガラス戸（２）の外面払拭用ワイパーブレード（３１）を取り付ける。【選択図】  図１
2005344420.tif 000002
【特許請求の範囲】
【請求項１】
建物の窓枠（１）内に、固定ガラス戸（２）と電動式開閉ガラス戸（３）とを設けると共に、これらのガラス戸の外面を洗浄する装置（１１，１２，２１，３１，５）を設けた洗浄装置付き片引き電動開閉窓において、
窓枠（１）内において、固定ガラス戸（２）を室内寄りに、電動式開閉ガラス戸（３）を屋外寄りに取り付け、
電動式開閉ガラス戸（３）よりも屋外側で、電動式開閉ガラス戸（３）を閉じたときに電動式開閉ガラス戸（３）と固定ガラス戸（２）が重なる箇所に近接した位置に、外部中間縦窓枠（１ｅ）を設け、
電動式開閉ガラス戸（３）の電動駆動装置（４）を、上窓枠（１ａ）若しくはこれに隣接する壁面上に取り付け、
固定ガラス戸（２）の外面に洗浄水を散水する給水パイプ（２１）の散水部を、固定ガラス戸（２）の上カマチ（２ａ）に沿って取り付け、
電動式開閉ガラス戸（３）の外面に洗浄水を散水する給水パイプ（１１）を、その先端の放水口が上記外部中間縦窓枠（１ｅ）の上端近くにおいて電動式開閉ガラス戸（３）の外面に向けて放水するよう、上記外部中間縦窓枠（１ｅ）に沿って取り付け、
上記外部中間縦窓枠（１ｅ）には、電動式開閉ガラス戸（３）の外面を払拭するワイパーブレード（１２）を取り付け、
電動式開閉ガラス戸（３）の縦カマチのうち、電動式開閉ガラス戸を閉じたときに固定ガラス戸（２）に近い側の縦カマチ（３ｂ）には、固定ガラス戸（２）の外面を払拭するワイパーブレード（３１）を取り付けたこと、
を特徴とする洗浄装置付き片引き電動開閉窓。
【請求項２】
上記給水パイプ（１１，２１）を水道管と接続し、当該給水パイプの管路上に電磁弁（５）又は手動弁を取り付けたことを特徴とする請求項１に記載の洗浄装置付き片引き電動開閉窓。
【発明の詳細な説明】
【技術分野】
【０００１】
本発明は、洗浄装置付き片引き電動開閉窓に関し、特に、特表２００２−５３１７３７号公報において開示されている電動開閉窓の改良に関するものである。
【背景技術】
【０００２】
窓ガラスの外面を自動的に洗浄する装置を具えた電動式の開閉窓は、これまでにも幾つか提案されており、その一例として下記特許文献１に記載のものを挙げることができる。
【０００３】
【特許文献１】特表２００２−５３１７３７号公報（特願２０００−５８７０３４）
【０００４】
然しながら、上記特許文献１において開示されている電動式開閉窓においては、窓を開閉するための電動駆動機構が窓枠の下部に設けられているため、ガラス戸の洗浄水で濡れないように充分な防水手段を設ける必要があった。また、洗浄水も、窓枠の下部に設けた貯水タンクから電動ポンプを用いて揚水し、２枚のガラス戸の召合わせ部分の上部から両ガラス戸の外面へ散水するようにしていたため、揚水装置等にコストが掛かるという問題もあった。
【発明の開示】
【発明が解決しようとする課題】
【０００５】
本発明は、上記の問題点を解決するためなされたものであり、その目的とするところは、低コストで効率よく窓ガラスの表面を洗浄することが可能な洗浄装置付き片引き電動開閉窓を提供することにある。
【課題を解決するための手段】
【０００６】
上記の目的は、
建物の窓枠内に、固定ガラス戸と電動式開閉ガラス戸とを設けると共に、これらのガラス戸の外面を洗浄する装置を設けた洗浄装置付き片引き電動開閉窓において、
窓枠内において、固定ガラス戸を室内寄りに、電動式開閉ガラス戸を屋外寄りに取り付け、
電動式開閉ガラス戸よりも屋外側で、電動式開閉ガラス戸を閉じたときに電動式開閉ガラス戸と固定ガラス戸が重なる箇所に近接した位置に、外部中間縦窓枠を設け、
電動式開閉ガラス戸の電動駆動装置を、上窓枠若しくはこれに隣接する壁面上に取り付け、
固定ガラス戸の外面に洗浄水を散水する給水パイプの散水部を、固定ガラス戸の上カマチ（框）に沿って取り付け、
電動式開閉ガラス戸の外面に洗浄水を散水する給水パイプを、その先端の放水口が上記外部中間縦窓枠の上端近くにおいて電動式開閉ガラス戸の外面に向けて放水するよう、上記外部中間縦窓枠に沿って取り付け、
上記外部中間縦窓枠には、電動式開閉ガラス戸の外面を払拭するワイパーブレードを取り付け、
電動式開閉ガラス戸の縦カマチのうち、電動式開閉ガラス戸を閉じたときに固定ガラス戸に近い側の縦カマチには、固定ガラス戸の外面を払拭するワイパーブレードを取り付けたこと、
を特徴とする洗浄装置付き片引き電動開閉窓によって達成し得る。
【０００７】
その場合において、上記給水パイプを水道管と接続し、当該給水パイプの管路上に電磁弁又は手動弁を取り付けるように構成することが推奨される。
【発明の効果】
【０００８】
上記の如き構成であると、電動式開閉ガラス戸の電動駆動装置が、上窓枠若しくはこれに隣接する壁面上に取り付けられ、洗浄水で濡れる虞れがないため、防水手段を設ける必要がなくコストの低減化を図ることができる。
また、給水パイプを水道管と接続し、当該給水パイプの管路上に電磁弁又は手動弁を取り付けることにより、窓ガラスの洗浄時には当該電磁弁等を開き、水道の給水圧力によってガラス戸の上方まで揚水し、散水することが可能であるので、揚水ポンプや貯水タンクを設ける必要がなく、この点でもコストの低減化を図ることができる。
【発明を実施するための最良の形態】
【０００９】
以下、図面に示す実施例を参照しつつ、本発明を実施するための最良の形態について説明する。
【実施例】
【００１０】
図１は、本発明に係る洗浄装置付き片引き電動開閉窓の一実施例の基本構成を室内側から見た状態で示す正面図、図２は、図１中のII−II線に沿った断面図であり、両図中、１は窓枠、２は固定ガラス戸、３は開閉ガラス戸、４は電動駆動装置、５は電磁弁、６は操作スイッチ付きコントロールボックスである。
【００１１】
図示する如く、窓枠１は、上窓枠１ａ、縦窓枠１ｂ，１ｃ、下窓枠１ｄと、開閉ガラス戸３よりも屋外側に設けた外部中間縦窓枠１ｅとから構成されている。
また、固定ガラス戸２は、上カマチ２ａ、縦カマチ２ｂ，２ｃ、下カマチ２ｄと、２枚のガラス板２０とから構成されている。
同様に、開閉ガラス戸３は、上カマチ３ａ、縦カマチ３ｂ，３ｃ、下カマチ３ｄと、２枚のガラス板３０とから構成されている。
【００１２】
窓枠１内において、固定ガラス戸２は室内寄りに、電動式開閉ガラス戸３は屋外寄りに取り付けられる。開閉ガラス戸３が嵌め入れられる側の上窓枠１ａ及び下窓枠１ｄには、開閉ガラス戸３を左右に円滑にガイドするためのレールが設けられている。
外部中間縦窓枠１ｅは、開閉ガラス戸３よりも屋外側で、開閉ガラス戸３を閉じたときに開閉ガラス戸３と固定ガラス戸２が重なる箇所（召合わせ部分）に近接した位置に設けられている。
【００１３】
電動駆動装置４は、図２に示す如く、モータ４１、歯付きプーリ４２及び４４、歯付きベルト４３、送りネジ４５、雌ネジ付きスライダ４６、等々から構成され、この電動駆動装置４は、本発明においては、図１に示す如く、上窓枠１ａ若しくはこれに隣接する壁面上に取り付けられる。
モータ４１を回転（正転又は逆転）させると、その回転が歯付きプーリ４２、歯付きベルト４３及び歯付きプーリ４４を介して送りネジ４５に伝達され、送りネジ４５にねじ合わせられた雌ネジ付きスライダ４６が送りネジ４５の回転方向に応じて、右方向又は左方向へ移動せしめられる。雌ネジ付きスライダ４６の適宜の箇所が開閉ガラス戸３の上カマチ３ａの適宜の箇所に固定されており、これにより、雌ネジ付きスライダ４６の左右移動に伴って、開閉ガラス戸３が開閉移動せしめられるものである。
【００１４】
図２に示すように、前記外部中間縦窓枠１ｅには、電動式開閉ガラス戸３の外面を払拭するワイパーブレード１２が取り付けられ、開閉ガラス戸３が電動駆動装置４によって左右に開閉移動せしめられるとき、開閉ガラス戸３の外面を払拭、洗浄するようになっている。
また、電動式開閉ガラス戸３の図中において右側の縦カマチ３ｂ（開閉ガラス戸３を閉じたときに固定ガラス戸２に近い側の召合わせ部分の縦カマチ）には、固定ガラス戸２の外面を払拭するワイパーブレード３１が取り付けられ、開閉ガラス戸３が電動駆動装置４によって左右に開閉移動せしめられるとき、固定ガラス戸２の外面を払拭、洗浄するようになっている。
これらのワイパーブレード１２及び３１の上下方向の長さは、開閉ガラス戸３及び固定ガラス戸２のガラス板３０及び２０の縦幅に対応する長さに設定される。
【００１５】
固定ガラス戸２の外面に洗浄水を散水する給水パイプ２１は、電磁弁５を介して水道管に接続されており、電磁弁５が設けられた下窓枠１ｄの内部から固定ガラス戸２の縱カマチ２ｃ内を通じて、その散水部が、図１に示すように、固定ガラス戸２の上カマチ２ａに沿って配管され、当該散水部から放出された洗浄水（水道水）は固定ガラス戸２の外側のガラス板２０の外面に沿って流下するようになっている。
一方、電動式開閉ガラス戸３の外面に洗浄水を散水する給水パイプ１１も、電磁弁５を介して水道管に接続されており、当該給水パイプ１１は、電磁弁５が設けられた下窓枠１ｄの内部から前記外部中間縦窓枠１ｅ内を通じて配管され、その先端の放水口が当該外部中間縦窓枠１ｅの上端近くにおいて開口し、開閉ガラス戸３の外側のガラス板３０の外面に向けて放水するように構成されている。図示した実施例における給水パイプ１１は、外部中間縦窓枠１ｅ内ではワイパーブレード１２と一体的に形成されたものが用いられている（図２参照）。
【００１６】
操作スイッチ付きコントロールボックス６内には、電動駆動装置４と電磁弁５の作動を制御する回路が収容されており、そのガラス戸開閉スイッチを押すことにより開閉ガラス戸３が開閉せしめられ、また、必要に応じて洗浄スイッチを押すことにより、電磁弁５が開かれて固定ガラス戸２及び開閉ガラス戸３の外面に水道水が散水されるのと同時に、開閉ガラス戸３が自動的に数回開閉移動せしめられ、ワイパーブレード１２によって開閉ガラス戸３の外面が洗浄され、ワイパーブレード３１によって固定ガラス戸２の外面が同時に洗浄されるようになっている。
電磁弁５の代わりに手動弁を用いた場合は、当該手動弁を開き固定ガラス戸２及び開閉ガラス戸３の外面に水道水を散水しつつ、コントロールボックス６のガラス戸開閉スイッチを押すことにより、開閉ガラス戸３が開閉せしめられて、固定ガラス戸２及び開閉ガラス戸３の外面が洗浄されるものである。
【００１７】
なお、本発明は上記の実施例に限定されるものではなく、その目的の範囲内において、上記の説明から当業者が容易に想到し得るすべての変更実施例を包摂するものである。
【産業上の利用可能性】
【００１８】
本発明は上記の如く構成されるから、本発明によるときは、低コストで効率よく窓ガラスの表面を洗浄することが可能な洗浄装置付き片引き電動開閉窓を提供し得るものである。
【図面の簡単な説明】
【００１９】
【図１】本発明に係る洗浄装置付き片引き電動開閉窓の一実施例の基本構成を室内側から見た状態で示す正面図である。
【図２】図１中のII−II線に沿った断面図である。
【符号の説明】
【００２０】
１      窓枠
１ａ    上窓枠
１ｂ    縦窓枠
１ｃ    縦窓枠
１ｄ    下窓枠
１ｅ    外部中間縦窓枠
１１    開閉ガラス戸用給水パイプ
１２    ワイパーブレード
２      固定ガラス戸
２ａ    上カマチ
２ｂ    縦カマチ
２ｃ    縦カマチ
２ｄ    下カマチ
２０    ガラス板
２１    固定ガラス戸用給水パイプ
３      開閉ガラス戸
３ａ    上カマチ
３ｂ    縦カマチ
３ｃ    縦カマチ
３ｄ    下カマチ
３０    ガラス板
３１    ワイパーブレード
４      電動駆動装置
４１    モータ
４２    歯付きプーリ
４３    歯付きベルト
４４    歯付きプーリ
４５    送りネジ
４６    雌ネジ付きスライダ
５      電磁弁
６      操作スイッチ付きコントロールボックス
【図１】
2005344420.tif 000003
【図２】
2005344420.tif 000004